(57)【要約】      （修正有）【課題】部品点数が増加するのを抑制しながら、光源から出射される光を安定して導光板に入射させることが可能な表示装置を提供する。【解決手段】ＴＶ１００（表示装置）は、ＴＶ本体１００ａと、ＴＶ本体１００ａの前面側に配置され、画像を表示する表示部と、該表示部に光を供給するＬＥＤ４２と、ＬＥＤ４２が実装されるＬＥＤ基板４１と、ＬＥＤ４２から出射された光が入射する光入射面７１を有するとともに該表示部に光を導く導光板と、該導光板とＬＥＤ基板４１との間に、該導光板の光入射面７１に対向するように配置されるとともに、ＬＥＤ４２を配置するためのＬＥＤ配置用孔部と、該導光板の光入射面７１とＬＥＤ４２とを離間させる間隔を所定の間隔に保つスペーサ部３１とを含むヒートシンク３とを備える。【選択図】図２
2014153438.tif 000002
【特許請求の範囲】
【請求項１】
表示装置本体と、
前記表示装置本体の前面側に配置され、画像を表示する表示部と、
前記表示部に光を供給する光源と、
前記光源が実装される光源基板と、
前記光源から出射された光が入射する光入射面を有するとともに前記表示部に光を導く導光板と、
前記導光板と前記光源基板との間に、前記導光板の光入射面に対向するように配置されるとともに、前記光源を配置するための光源配置用孔部と、前記導光板の光入射面と前記光源とを離間させる間隔を所定の間隔に保つスペーサ部とを含むヒートシンクとを備えた、表示装置。
【請求項２】
前記光源が前記ヒートシンクの前記光源配置用孔部に配置された状態で、前記導光板の光入射面が前記ヒートシンクのスペーサ部に当接するように構成されている、請求項１に記載の表示装置。
【請求項３】
前記スペーサ部は、前記光源が前記光源配置用孔部に配置された状態で、前記光源基板の実装面からの前記光源の突出高さよりも大きい厚みを有する、請求項１または２に記載の表示装置。
【請求項４】
前記光源は、前記光源基板の前記導光板に対向する側の表面に実装され、
前記光源基板は、前記導光板に対向する側の表面が前記スペーサ部の前記導光板に対向する側の反対側の表面に固定されるように構成される、請求項１〜３のいずれか１項に記載の表示装置。
【請求項５】
前記光源基板は、配線パターンを含み、
前記配線パターンは、前記光源基板の前記ヒートシンク側とは反対側の表面近傍よりも、前記ヒートシンク側の表面近傍に多く設けられている、請求項１〜４のいずれか１項に記載の表示装置。
【請求項６】
前記光源が前記光源配置用孔部に配置された状態で、前記導光板を前記スペーサ部に向けて付勢する付勢部材をさらに備える、請求項１〜５のいずれか１項に記載の表示装置。
【請求項７】
前記光源は、複数個設けられ、
前記スペーサ部は、前記複数個の光源に対応する位置に複数個の前記光源配置用孔部を含み、
前記導光板は、隣接する前記複数個の光源配置用孔部の間の領域に当接するように配置されている、請求項１〜６のいずれか１項に記載の表示装置。
【請求項８】
前記ヒートシンクの背面側に配置されるリアフレームをさらに備え、
前記光源基板は、前記光源基板の背面側端面が前記リアフレームの前面側と所定の間隔を隔てて離間した状態で、前記スペーサ部の前記導光板に対向する側とは反対側の表面に固定されるように構成されている、請求項１〜７のいずれか１項に記載の表示装置。
【請求項９】
前記光源基板は、第１位置決め部を含み、
前記スペーサ部は、前記第１位置決め部に対応する第２位置決め部を含む、請求項８に記載の表示装置。
【請求項１０】
前記ヒートシンクとしての第１ヒートシンクとは別個に設けられ、前記光源基板の前記第１ヒートシンクが配置される側とは反対側の表面に配置された第２ヒートシンクをさらに備える、請求項１〜９のいずれか１項に記載の表示装置。
【発明の詳細な説明】
【技術分野】
【０００１】
この発明は、表示装置に関し、特に、導光板とヒートシンクとを含む表示装置に関する。
【背景技術】
【０００２】
従来、導光板とヒートシンクとを含む表示装置が知られている（たとえば、特許文献１参照）。
【０００３】
上記特許文献１には、液晶表示モジュール本体（表示装置本体）と、液晶表示モジュール本体の前面側に配置され、画像を表示する液晶表示パネル（表示部）とを備える液晶表示モジュール（表示装置）が開示されている。また、この液晶表示モジュールは、液晶表示パネルに光を供給するＬＥＤ（光源）と、ＬＥＤが実装されるＰＣＢ（光源基板）と、ＬＥＤから出射された光が入射する光入射面を有するとともに液晶表示パネルに光を導く導光板とを備えている。また、この液晶表示モジュールは、導光板の光入射面に対向するように配置される放熱カバー（ヒートシンク）を備えている。
【０００４】
また、ＰＣＢは、ＬＥＤが放熱カバーに形成された貫通孔に配置された状態で、ヒートシンクに固定されている。また、導光板が液晶表示モジュール本体に配置された際に、導光板とＰＣＢとの間にスペーサ部材が設けられているか否かは不明である。
【先行技術文献】
【特許文献】
【０００５】
【特許文献１】特開２００７−２６９１６号公報
【発明の概要】
【発明が解決しようとする課題】
【０００６】
しかしながら、上記特許文献１の液晶表示モジュールでは、導光板とＰＣＢとの間に、スペーサ部材が設けられていない場合には、導光板の光入射面と、ＰＣＢに実装されたＬＥＤとを離間させる間隔を所定の間隔に安定して保つことができないので、ＬＥＤから出射される光を安定して導光板に入射させることができないという問題点がある。一方、導光板とＰＣＢとの間に、導光板の光入射面と、ＰＣＢに実装されたＬＥＤとを離間させる間隔を所定の間隔に保つ専用のスペーサ部材が設けられている場合には、専用のスペーサ部材を設ける必要がある分、部品点数が増加するという問題点がある。
【０００７】
この発明は、上記のような課題を解決するためになされたものであり、この発明の１つの目的は、部品点数が増加するのを抑制しながら、光源から出射される光を安定して導光板に入射させることが可能な表示装置を提供することである。
【課題を解決するための手段】
【０００８】
この発明の一の局面による表示装置は、表示装置本体と、表示装置本体の前面側に配置され、画像を表示する表示部と、表示部に光を供給する光源と、光源が実装される光源基板と、光源から出射された光が入射する光入射面を有するとともに表示部に光を導く導光板と、導光板と光源基板との間に、導光板の光入射面に対向するように配置されるとともに、光源を配置するための光源配置用孔部と、導光板の光入射面と光源とを離間させる間隔を所定の間隔に保つスペーサ部とを含むヒートシンクとを備える。
【０００９】
この発明の一の局面による表示装置では、上記のように、導光板と光源基板との間に導光板の光入射面に対向するようにヒートシンクを配置し、導光板の光入射面と光源とを離間させる間隔を所定の間隔に保つスペーサ部を設けることによって、スペーサ部により導光板の光入射面と光源との間を離間させる間隔を一定に保つことができるので、導光板の光入射面と光源との間の間隔にばらつきが生じるのを抑制することができる。これにより、光源から出射される光を安定して導光板に入射させることができるので、導光板の光入射面と光源との間の間隔にばらつきが生じることを予め考慮して過剰に光源を設ける場合と比較して、光源の数（部品点数）を削減することができる。また、導光板の光入射面と光源とを離間させる間隔を所定の間隔に保つスペーサ部を含むヒートシンクを設けることによって、ヒートシンクが導光板の光入射面と光源とを離間させる間隔を所定の間隔に保つスペーサ部としても兼用されるので、導光板の光入射面と光源とを離間させる間隔を所定の間隔に保つ専用のスペーサ部材を別途設ける必要がなく、その分、部品点数の増加を抑制することができる。したがって、この表示装置では、部品点数が増加するのを抑制しながら、光源から出射される光を安定して導光板に入射させることができる。
【００１０】
また、導光板と光源基板との間に、導光板の光入射面に対向するようにヒートシンクを設けるとともに、ヒートシンクに光源を配置するための光源配置用孔部を設けることによって、光源配置用孔部に光源を配置した状態で、導光板の光入射面と、光源基板の導光板に対向する側の面との間にヒートシンク（スペーサ部）を配置することができるので、ヒートシンク（スペーサ部）と光源との重なり分、狭額縁化を図ることができる。また、ヒートシンク（スペーサ部）と光源との重なり分、狭額縁化を図ることに代えて、導光板を表示装置本体の外側に延ばして大きく形成することができる。これにより、導光板の光入射面から画像表示領域に対応する部分に到達するまでの光路長を大きくすることができるので、光源から出射された光を広げて画像表示領域に対応する部分に到達させることができる。その結果、表示部に明暗ムラが発生するのを抑制しながら、光源の数を削減することができる。
【００１１】
上記一の局面による表示装置において、好ましくは、光源がヒートシンクの光源配置用孔部に配置された状態で、導光板の光入射面がヒートシンクのスペーサ部に当接するように構成されている。このように構成すれば、導光板の光入射面と、ヒートシンクのスペーサ部との間隔を確実に固定することができるので、容易に、導光板の光入射面と光源との間を離間させる間隔を一定に保つことができる。これにより、光源から出射される光をさらに安定して導光板に入射させることができる。
【００１２】
上記一の局面による表示装置において、好ましくは、スペーサ部は、光源が光源配置用孔部に配置された状態で、光源基板の実装面からの光源の突出高さよりも大きい厚みを有する。このように構成すれば、光源配置用孔部に配置された、光源と導光板の光入射面とが接触するのを防止しながら、スペーサ部により、容易に、導光板の光入射面と光源とを離間させる間隔を一定に保つことができる。
【００１３】
上記一の局面による表示装置において、好ましくは、光源は、光源基板の導光板に対向する側の表面に実装され、光源基板は、導光板に対向する側の表面がスペーサ部の導光板に対向する側の反対側の表面に固定されるように構成される。このように構成すれば、光源基板をヒートシンクに固定した際に、容易に、光源を光源配置用孔部に配置することができる。
【００１４】
上記一の局面による表示装置において、好ましくは、光源基板は、配線パターンを含み、配線パターンは、光源基板のヒートシンク側とは反対側の表面近傍よりも、ヒートシンク側の表面近傍に多く設けられている。このように構成すれば、配線パターンから発生した熱をヒートシンクに伝達しやすくすることができるので、放熱効率を高めることができる。
【００１５】
上記一の局面による表示装置において、好ましくは、光源が光源配置用孔部に配置された状態で、導光板をスペーサ部に向けて付勢する付勢部材をさらに備える。このように構成すれば、スペーサ部と、導光板の光入射面とが、互いに離れてしまうのを抑制することができるので、導光板の光入射面と光源との間を離間させる間隔を確実に一定に保つことができる。
【００１６】
上記一の局面による表示装置において、好ましくは、光源は、複数個設けられ、スペーサ部は、複数個の光源に対応する位置に複数個の光源配置用孔部を含み、導光板は、隣接する複数個の光源配置用孔部の間の領域に当接するように配置されている。このように構成すれば、複数個の光源配置用孔部の間の領域により、複数個の光源のいずれの光源に対しても導光板の光入射面と光源との間を離間させる間隔を一定に保つことができる。これにより、光源が複数個ある場合でも、複数個の光源から出射される光を安定して導光板に入射させることができる。
【００１７】
上記一の局面による表示装置において、好ましくは、ヒートシンクの背面側に配置されるリアフレームをさらに備え、光源基板は、光源基板の背面側端面がリアフレームの前面側と所定の間隔を隔てて離間した状態で、スペーサ部の導光板に対向する側とは反対側の表面に固定されるように構成されている。このように構成すれば、光源基板に寸法誤差がある場合でも、光源基板の背面側端面と、リアフレームの前面側との所定の間隔で光源基板の寸法誤差を吸収することができるので、光源基板をヒートシンクに正確に固定することができる。これにより、光源基板に実装された光源と、導光板の光入射面とが位置ずれするのを抑制することができるので、光源から出射される光をより安定して導光板に入射させることができる。
【００１８】
この場合、好ましくは、光源基板は、第１位置決め部を含み、スペーサ部は、第１位置決め部に対応する第２位置決め部を含む。このように構成すれば、第１位置決め部および第２位置決め部により、光源基板をスペーサ部に対して位置決めした状態で配置することができるので、光源基板に実装された光源と、導光板の光入射面とが位置ずれするのをさらに抑制することができる。これにより、光源から出射される光をさらに安定して導光板に入射させることができる。
【００１９】
上記一の局面による表示装置において、好ましくは、ヒートシンクとしての第１ヒートシンクとは別個に設けられ、光源基板の第１ヒートシンクが配置される側とは反対側の表面に配置された第２ヒートシンクをさらに備える。このように構成すれば、第１ヒートシンクに加え、第２ヒートシンクによっても放熱することができるので、より放熱効率を高めることができる。
【発明の効果】
【００２０】
本発明によれば、上記のように、部品点数が増加するのを抑制しながら、光源から出射される光を安定して導光板に入射させることができる。
【図面の簡単な説明】
【００２１】
【図１】本発明の第１実施形態によるＴＶの全体構成を示した図である。
【図２】本発明の第１実施形態によるＴＶの導光板とヒートシンクとが当接する部分を示した図である。
【図３】本発明の第１実施形態によるＴＶのヒートシンクとＬＥＤモジュールとを拡大した図である。
【図４】図１の５００−５００線に沿った断面図である。
【図５】本発明の第１実施形態によるＴＶのスペーサ部に固定したＬＥＤ基板を示した図である。
【図６】本発明の第２実施形態によるＴＶのヒートシンクとＬＥＤモジュールとを示した図である。
【図７】本発明の第１実施形態の第１変形例によるＴＶのヒートシンクに固定したＬＥＤ基板を示した図である。
【図８】本発明の第１実施形態の第２変形例によるＴＶの第２ヒートシンクを配置したＬＥＤ基板を示した図である。
【図９】本発明の第１実施形態の第３変形例によるＴＶのスペーサ部を示した図である。
【図１０】本発明の第１実施形態の第４変形例によるＴＶの付勢部材を示した図である。
【発明を実施するための形態】
【００２２】
（第１実施形態）
以下、図１〜図５を参照して、本発明の一実施形態によるＴＶ（テレビジョン装置）１００の構成について説明する。なお、ＴＶ１００は、本発明の「表示装置」の一例である。
【００２３】
本発明の第１実施形態によるＴＶ１００は、図１に示すように、フロントフレーム１と、リアフレーム２（図２参照）とを備える。また、フロントフレーム１の開口部１ａからは画像を表示する表示部１１が露出されるように構成されている。また、ＴＶ１００は、受信部２０により放送信号を受信可能なように構成されている。
【００２４】
ＴＶ１００の内部には、図２および図４に示すように、ヒートシンク３と、複数のＬＥＤ４２（図２参照）を含むＬＥＤモジュール４とが設けられている。また、図４に示すように、ヒートシンク３の前面側（Ｘ１方向側）には、支持部材５と、反射シート６と、導光板７と、シリコンゴム８（図２参照）と、光学シート９とが配置されている。また、導光板７の前面側には樹脂フレーム１０が配置されている。また、樹脂フレーム１０の前面側には、画像を表示する表示部１１が配置されている。なお、ＬＥＤ４２は、本発明の「光源」の一例である。
【００２５】
ここで、第１実施形態では、ヒートシンク３は、図４に示すように、リアフレーム２の前面側（Ｘ１方向側）に配置されるように構成されている。また、ヒートシンク３は、導光板７とＬＥＤ基板４１との間に、導光板７の光入射面７１に対向するように配置されるとともに、ＬＥＤ４２を配置するためのＬＥＤ配置用孔部３１３と、導光板７の光入射面７１とＬＥＤ４２とを離間させる間隔を所定の間隔に保つスペーサ部３１とを含むように構成されている。具体的には、スペーサ部３１は、ヒートシンク３の縁部をＸ１方向に略垂直に向けて折り曲げられて形成されている。また、スペーサ部３１は、図２〜図５に示すように、ヒートシンク３のＹ１方向側に形成されている。また、スペーサ部３１は、図３に示すように、複数個のＬＥＤ４２に対応する位置に複数個のＬＥＤ配置用孔部３１３を含んでいる。また、ＬＥＤ配置用孔部３１３は、ＬＥＤ基板４１の数と同数設けられている。また、ＬＥＤ配置用孔部３１３は、Ｚ方向に対して、幅Ｗ１を有している。また、ＬＥＤ配置用孔部３１３は、Ｘ方向に対して、幅Ｗ２を有している。また、スペーサ部３１は、図４に示すように、ＬＥＤ４２がＬＥＤ配置用孔部３１３に配置された状態で、後述するＬＥＤ基板４１の実装面４１４からのＬＥＤ４２の突出高さｈよりも大きい厚みｔを有している。
【００２６】
また、スペーサ部３１は、図５に示すように、Ｚ方向の両端部（図２参照）にネジ孔３１２を含んでいる。また、ヒートシンク３は、図２、図４および図５に示すように、Ｙ−Ｚ平面に延びる平坦部３２を含む。また、図２に示すように、ヒートシンク３のスペーサ部３１の近傍には、Ｘ１方向に向けて略垂直に折り曲げられた固定部３３が形成されている。また、固定部３３は、ヒートシンク３のＺ方向の両端部にそれぞれ１つずつ形成されている。また、ヒートシンク３は、リアフレーム２のＹ１方向側に形成された規制部２１によりＹ１方向への移動が規制されるように構成されている。また、ヒートシンク３は、金属（板金）により構成されている。なお、ＬＥＤ配置用孔部３１３は、本発明の「光源配置用孔部」の一例である。また、ネジ孔３１２は、本発明の「第１位置決め部」の一例である。
【００２７】
また、第１実施形態では、ＬＥＤモジュール４は、図２〜図４に示すように、ＬＥＤ基板４１と、ＬＥＤ基板４１に実装される複数のＬＥＤ４２とを主に含んでいる。また、ＬＥＤモジュール４は、表示部１１に光を供給するように構成されている。ＬＥＤモジュール４は、ＴＶ本体１００ａ（図１参照）を正面から見た場合に、右側（Ｙ１方向側）に配置されるように構成されている。また、ＬＥＤ基板４１は、図３に示すように、概略的には、略長方形形状を有している。また、ＬＥＤ基板４１は、配線パターン４１１を含んでいる。具体的には、図４および図５に示すように、配線パターン４１１は、ＬＥＤ基板４１のヒートシンク３側とは反対側の表面近傍よりも、ヒートシンク３側（Ｙ２方向側）の表面近傍に多く設けられている。また、ＬＥＤ基板４１は、導光板７に対向する側（Ｙ２方向側）の表面がスペーサ部３１の導光板７に対向する側の反対側の表面に固定されるように構成されている。また、ＬＥＤ基板４１は、本発明の「光源基板」の一例である。
【００２８】
また、ＬＥＤ基板４１は、図５に示すように、ネジ孔４１２を含んでいる。また、ネジ孔４１２は、ヒートシンク３（スペーサ部３１）のネジ孔３１２に対応するように構成されている。また、ＬＥＤ基板４１のネジ孔４１２と、スペーサ部３１（ヒートシンク３）のネジ孔３１２とにネジ９１を挿入することにより、ＬＥＤ基板４１はスペーサ部３１に固定されるように構成されている。また、ＬＥＤ基板４１は、図４に示すように、ＬＥＤ基板４１の背面側端面４１３がリアフレーム２の前面側（Ｘ１方向側）と所定の間隔Ｄ１を隔てて離間した状態で、スペーサ部３１の導光板７に対向する側とは反対側（Ｙ１方向側）の表面に固定されるように構成されている。なお、ネジ孔４１２は、本発明の「第２位置決め部」の一例である。
【００２９】
また、図４に示すように、ＬＥＤ基板４１の導光板７に対向する側（Ｙ２方向側）の表面には、ＬＥＤ４２が実装されている。また、ＬＥＤ４２は、ＬＥＤ４２が実装されるＬＥＤ基板４１の実装面４１４からＹ２方向に向けた突出高さｈを有するように構成されている。また、ＬＥＤ４２は、図３に示すように、Ｚ方向に対して、ＬＥＤ配置用孔部３１３の幅Ｗ１よりも小さい幅Ｗ３を有している。また、ＬＥＤ４２は、Ｘ方向に対して、ＬＥＤ配置用孔部３１３の幅Ｗ２よりも小さい幅Ｗ４を有している。
【００３０】
また、支持部材５は、図４に示すように、リアフレーム２の前面側（Ｘ１方向側）に配置されている。支持部材５は、導光板７をＸ方向の所定の位置に配置する機能を有している。反射シート６は、導光板７の背面側（Ｘ２方向側）に配置されている。また、反射シート６は、導光板７からＸ２方向に光が漏れるのを抑制する機能を有している。
【００３１】
また、第１実施形態では、導光板７は、図２に示すように、ＬＥＤ４２がヒートシンク３のＬＥＤ配置用孔部３１３（図３参照）に配置された状態で、導光板７の光入射面７１がヒートシンク３のスペーサ部３１に当接するように構成されている。また、導光板７は、表示部３に光を導く機能を有している。また、導光板７は、概略的には、略長方形形状（図１参照）を有している。また、光入射面７１は、図２および図４に示すように、ＬＥＤ４２に対向するように構成されている。また、導光板７に入光した光は、光出射面７２から出射されるように構成されている。また、導光板７は、隣接する複数個のＬＥＤ配置用孔部３１３の間の領域３１４（図３参照）に当接するように配置されている。
【００３２】
また、導光板７は、図２に示すように、Ｚ方向の一対の辺のそれぞれに設けられた凸部７３を含んでいる。具体的には、凸部７３は、導光板７のＺ方向側の両端部にそれぞれ１つずつ設けられている。また、凸部７３は、導光板７の光入射面７１の近傍（Ｙ１方向側）に設けられている。また、図４に示すように、導光板７は、導光板７の光入射面７１と、ＬＥＤ４２とが所定間隔Ｄ２（たとえば、０．３ｍｍ）を隔てるように配置されている。
【００３３】
また、第１実施形態では、図２に示すように、シリコンゴム８は、ヒートシンク３の固定部３３に固定されている。また、シリコンゴム８は、ＬＥＤ４２がＬＥＤ配置用孔部３１３に配置された状態で、導光板７をスペーサ部３１に向けて付勢するように構成されている。具体的には、シリコンゴム８は、導光板７の両端部の凸部７３をスペーサ部３１（ヒートシンク３）側に向けて付勢するように構成されている。また、シリコンゴム８は、平面的に見て、略矩形形状を有している。また、シリコンゴム８は、導光板７の一対の凸部７３に対応する位置に配置されるように構成されている。また、シリコンゴム８および導光板７がヒートシンク３上に配置された状態で、シリコンゴム８は導光板７（凸部７３）とヒートシンク３の固定部３３とに挟まれて弾性変形されるように構成されている。なお、シリコンゴム８は、本発明の「付勢部材」の一例である。
【００３４】
光学シート９は、図４に示すように、導光板７の前面側（Ｘ１方向側）に配置されている。また、樹脂フレーム１０は、導光板７をＴＶ本体１００ａに固定するように構成されている。また、表示部１１は、光学シート９の前面側に配置されている。また、表示部１２は、主に液晶セルにより構成されている。
【００３５】
第１実施形態では、上記のように、導光板７とＬＥＤ基板４１との間であり導光板７の光入射面７１に対向するようにヒートシンク３を配置し、導光板７の光入射面７１とＬＥＤ４２とを離間させる間隔を所定の間隔に保つスペーサ部３１を設ける。これにより、スペーサ部３１により導光板７の光入射面７１とＬＥＤ４２との間を離間させる間隔を一定に保つことができるので、導光板７の光入射面７１とＬＥＤ４２との間の間隔にばらつきが生じるのを抑制することができる。その結果、ＬＥＤ４２から出射される光を安定して導光板７に入射させることができるので、導光板７の光入射面７１とＬＥＤ４２との間の間隔にばらつきが生じることを予め考慮して過剰にＬＥＤ４２を設ける場合と比較して、ＬＥＤ４２の数（部品点数）を削減することができる。また、導光板７の光入射面７１とＬＥＤ４２とを離間させる間隔を所定の間隔に保つスペーサ部３１を含むヒートシンク３を設ける。これにより、ヒートシンク３が導光板７の光入射面７１とＬＥＤ４２とを離間させる間隔を所定の間隔に保つスペーサ部３１としても兼用されるので、専用のスペーサ部材を別途設ける必要がなく、その分、部品点数の増加を抑制することができる。したがって、このＴＶ１００では、部品点数が増加するのを抑制しながら、ＬＥＤ４２から出射される光を安定して導光板７に入射させることができる。
【００３６】
また、導光板７とＬＥＤ基板４１との間に、導光板７の光入射面７１に対向するようにヒートシンク３を設けるとともに、ヒートシンク３にＬＥＤ４２を配置するためのＬＥＤ配置用孔部３１３を設ける。これにより、ＬＥＤ配置用孔部３１３にＬＥＤ４２を配置した状態で、導光板７の光入射面７１と、ＬＥＤ基板４１の導光板７に対向する側の面との間にヒートシンク３（スペーサ部３１）を配置することができるので、ヒートシンク３（スペーサ部３１）とＬＥＤ４２との重なり分、狭額縁化を図ることができる。
【００３７】
また、第１実施形態では、上記のように、導光板７の光入射面７１がヒートシンク３のスペーサ部３１に当接するように構成する。これにより、導光板７の光入射面７１と、ヒートシンク３のスペーサ部３１との間隔を確実に固定することができるので、容易に、導光板７の光入射面７１とＬＥＤ４２との間を離間させる間隔を一定に保つことができる。これにより、ＬＥＤ４２から出射される光をさらに安定して導光板７に入射させることができる。
【００３８】
また、第１実施形態では、上記のように、ＬＥＤ基板４１の実装面４１４からのＬＥＤ４２の突出高さよりも大きい厚みを有するようにスペーサ部３１を構成する。これにより、ＬＥＤ配置用孔部３１３に配置された、ＬＥＤ４２と導光板７の光入射面７１とが接触するのを防止しながら、スペーサ部３１により、容易に、導光板７の光入射面７１とＬＥＤ４２とを離間させる間隔を確実に一定にすることができる。
【００３９】
また、第１実施形態では、上記のように、ＬＥＤ基板４１の導光板７に対向する側の表面にＬＥＤ４２を実装し、スペーサ部３１の導光板７に対向する側の反対側の表面に固定するようにＬＥＤ基板４１を構成する。これにより、ＬＥＤ基板４１をヒートシンク３に固定した際に、容易に、ＬＥＤ４２をＬＥＤ配置用孔部３１３に配置することができる。
【００４０】
また、第１実施形態では、上記のように、ＬＥＤ基板４１のヒートシンク３側とは反対側の表面近傍よりも、ヒートシンク３側の表面近傍に配線パターン４１１を多く設ける。これにより、配線パターンから発生した熱をヒートシンク３に伝達しやすくすることができるので、放熱効率を高めることができる。
【００４１】
また、第１実施形態では、上記のように、導光板７をスペーサ部３１に向けて付勢するシリコンゴム８を設ける。これにより、スペーサ部３１と、導光板７の光入射面７１とが、互いに離れてしまうのを抑制することができるので、導光板７の光入射面７１とＬＥＤ４２との間を離間させる間隔を確実に一定に保つことができる。
【００４２】
また、第１実施形態では、上記のように、複数個のＬＥＤ４２に対応する位置に複数個のＬＥＤ配置用孔部３１３をスペーサ部３１に設け、隣接する複数個のＬＥＤ配置用孔部３１３の間の領域３１４に当接するように導光板７を配置する。これにより、複数個のＬＥＤ配置用孔部３１３の間の領域３１４により、複数個のＬＥＤ４２のうちいずれのＬＥＤ４２に対しても、導光板７の光入射面７１とＬＥＤ４２との間を離間させる間隔を一定に保つことができる。その結果、ＬＥＤ４２が複数個ある場合でも、複数個のＬＥＤ４２から出射される光を安定して導光板７に入射させることができる。
【００４３】
また、第１実施形態では、上記のように、ヒートシンク３の背面側に配置されるリアフレーム２を設けるとともに、ＬＥＤ基板４１の背面側端面４１３がリアフレーム２の前面側と所定の間隔を隔てて離間した状態で、スペーサ部３１にＬＥＤ基板４１を固定する。これにより、ＬＥＤ基板４１に寸法誤差がある場合でも、ＬＥＤ基板４１の背面側端面４１２と、リアフレーム２の前面側との所定の間隔でＬＥＤ基板４１の寸法誤差を吸収することができるので、ＬＥＤ基板４１をヒートシンク３に正確に固定することができる。その結果、ＬＥＤ基板４１に実装されたＬＥＤ４２と、導光板７の光入射面７１とが位置ずれするのを抑制することができるので、ＬＥＤ４２から出射される光をより安定して導光板７に入射させることができる。
【００４４】
また、第１実施形態では、上記のように、ネジ孔４１２をＬＥＤ基板４１に設けるとともに、ネジ孔４１２に対応するネジ孔３１２をスペーサ部３１に設ける。これにより、ネジ孔４１２およびネジ孔３１２により、ＬＥＤ基板４１をスペーサ部３１に対して位置決めした状態で配置することができるので、ＬＥＤ基板４１に実装されたＬＥＤ４２と、導光板７の光入射面７１とが位置ずれするのをさらに抑制することができる。その結果、ＬＥＤ４２から出射される光をさらに安定して導光板７に入射させることができる。
【００４５】
（第２実施形態）
以下、図６を参照して、本発明の第２実施形態によるＴＶ２００の構成について説明する。なお、ＴＶ２００は、本発明の「表示装置」の一例である。
【００４６】
この第２実施形態では、スペーサ部３１とＬＥＤ４２とが重なった分、ＴＶ本体１００ａの狭額縁化を図った第１実施形態と異なり、導光板１０７をＴＶ本体２００ａの外側に延ばして大きく形成したＴＶ２００について説明する。なお、ＴＶ２００ａは、本発明の「表示装置本体」の一例である。
【００４７】
図６示すように、第２実施形態によるＴＶ２００は、フロントフレーム１０１と、リアフレーム１０２とを備える。また、ＴＶ２００の内部には、ヒートシンク１０３と、複数のＬＥＤ４２を含むＬＥＤモジュール４とが設けられている。また、ヒートシンク１０３の前面側（Ｘ１方向側）には、支持部材５と、反射シート１０６と、導光板１０７と、光学シート９とが配置されている。また、導光板１０７の前面側には樹脂フレーム１１０が配置されている。また、樹脂フレーム１１０の前面側には、画像を表示する表示部１１が配置されている。また、ヒートシンク１０３のスペーサ部１３１のＹ１方向側には、ＬＥＤモジュール４が配置されている。
【００４８】
また、スペーサ部１３１は、図６に示すように、ＬＥＤ４２を配置するためのＬＥＤ配置用孔部１３１３を含んでいる。ＬＥＤ配置用孔部１３１３には、ＬＥＤ４２が配置されている。
【００４９】
ここで、第２実施形態では、図６に示すように、導光板１０７は、ＬＥＤ４２から出射された光が直接入射する光入射面１７１を有している。また、光入射面１７１は、ＬＥＤ４２に対向するように構成されている。また、導光板１０７に入光した光は光出射面１７２から出射されるように構成されている。また、第２実施形態では、上記第１実施形態においてスペーサ部３１とＬＥＤ４２とが重なった分、ＴＶ本体１００ａの額縁が小さくなるように構成したことに代えて、スペーサ部１３１とＬＥＤ４２とが重なった分、導光板１０７が、ＴＶ本体２００ａの外側（Ｙ１方向側）に向けて延ばされて（大きくされて）構成されている。すなわち、導光板１０７は、同一の大きさの画像表示領域を有する導光板に比べて、図６に示した矢印の分、光入射面１７１をＴＶ本体２００ａの外側に向けて延ばして（大きくして）構成することが可能である。
【００５０】
なお、第２実施形態のその他の構成は、上記第１実施形態と同様である。
【００５１】
第２実施形態では、上記のように、導光板１０７とＬＥＤ基板４１との間に導光板１０７の光入射面１７１に対向するようにヒートシンク１０３を配置し、導光板１０７の光入射面１７１とＬＥＤ４２とを離間させる間隔を所定の間隔に保つスペーサ部１３１を設ける。これにより、スペーサ部１３１により導光板１０７の光入射面１７１とＬＥＤ４２との間を離間させる間隔を一定に保つことができるので、導光板１０７の光入射面１７１とＬＥＤ４２との間の間隔にばらつきが生じるのを抑制することができる。その結果、ＬＥＤ４２から出射される光を安定して導光板１０７に入射させることができるので、導光板１０７の光入射面１７１とＬＥＤ４２との間の間隔にばらつきが生じることを予め考慮して過剰にＬＥＤ４２を設ける場合と比較して、ＬＥＤ４２の数を削減することができる。また、導光板１０７の光入射面１７１とＬＥＤ４２とを離間させる間隔を所定の間隔に保つスペーサ部１３１を含むヒートシンク１０３を設ける。これにより、ヒートシンク１０３が導光板１０７の光入射面１７１とＬＥＤ４２とを離間させる間隔を所定の間隔に保つスペーサ部材としても兼用されるので、専用のスペーサ部材を別途設ける必要がなく、その分、部品点数の増加を抑制することができる。したがって、このＴＶ２００では、部品点数が増加するのを抑制しながら、ＬＥＤ４２から出射される光を安定して導光板１０７に入射させることができる。
【００５２】
また、第２実施形態では、第１実施形態においてヒートシンク３（スペーサ部３１）とＬＥＤ４２との重なり分、狭額縁化を図ることに代えて、導光板１０７をＴＶ本体２００ａの外側に延ばし大きく形成することができる。これにより、導光板１０７の光入射面１７１から画像表示領域に対応する部分に到達するまでの光路長を大きくすることができるので、ＬＥＤ４２から出射された光を広げて画像表示領域に対応する部分に到達させることができる。その結果、明暗ムラが発生するのを抑制しながら、ＬＥＤ４２の数を削減することができる。
【００５３】
なお、第２実施形態のその他の効果は、上記第１実施形態と同様である。
【００５４】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００５５】
たとえば、上記第１および第２実施形態では、本発明を表示装置としてのＴＶ（テレビジョン装置）に適用する例を示したが、本発明はこれに限らない。本発明は、ＰＣ（Ｐｅｒｓｏｎａｌ  Ｃｏｍｐｕｔｅｒ）のモニタなどの他の表示装置にも適用可能である。
【００５６】
また、上記第１および第２実施形態では、本発明の第１位置決め部としてのネジ孔４１２をＬＥＤ基板（光源基板）に設けるとともに、本発明の第２位置決め部としてのネジ孔３１２をスペーサ部に設け、ネジ孔４１２およびネジ孔３１２にネジを挿入して、ＬＥＤ基板をスペーサ部に固定する例を示したが、本発明はこれに限られない。本発明では、図７に示す第１変形例のように、第１位置決め部として凹部２４１ａを光源基板２４１に設けるとともに、第２位置決め部として凸部２３１ａをスペーサ部２３１に設け、凹部２４１ａと凸部２３１ａとを係合させた状態で、両面テープ２５０により光源基板をスペーサ部２３１に固定してもよい。また、第１位置決め部として凸部を光源基板に設けるとともに、第２位置決め部として凹部をスペーサ部に設けて、凹部と凸部とを係合させてもよい。
【００５７】
また、上記第１および第２実施形態では、１つのヒートシンクにＬＥＤ基板（光源基板）を固定した例を示したが、本発明はこれに限られない。本発明では、スペーサ部と光源とが重なってできたスペースを利用して、ヒートシンクとしての第１ヒートシンクとは別個に設けられ、光源基板の第１ヒートシンクが配置される側とは反対側の表面に第２ヒートシンクを配置してもよい。具体的には、図８に示す第２変形例のように、光源基板の導光板に対向する側に第１ヒートシンク３を配置するとともに、光源基板の導光板に対向する側と反対側に第２ヒートシンク３０３を配置してもよい。
【００５８】
また、上記第１および第２実施形態では、複数のＬＥＤ（光源）と同数のＬＥＤ配置用孔部（光源配置用孔部）をスペーサ部に設けた例を示したが、本発明はこれに限られない。本発明では、光源配置用孔部は、光源の数と同数でなくてもよい。具体的には、図９に示す第３変形例のように、１つの光源配置用孔部に複数の光源が配置可能なように光源配置用孔部４３１ａをスペーサ部４３１に設けてもよい。
【００５９】
また、上記第１および第２実施形態では、導光板の凸部を、本発明の付勢部材としてのシリコンゴムにより付勢する例を示したが、本発明はこれに限られない。本発明では、導光板の凸部以外の位置を付勢部材で付勢してもよい。具体的には、図１０に示す第４変形例のように、導光板の光入射面と反対側の面を付勢部材としてのシリコンゴム５０８により付勢してもよい。
【００６０】
また、上記第１および第２実施形態では、本発明の付勢部材がシリコンゴムである例を示したが、本発明はこれに限られない。本発明では、シリコンゴム以外の、たとえば、板バネや樹脂バネが付勢部材であってもよい。
【符号の説明】
【００６１】
２  リアフレーム
３  ヒートシンク
７、１７０  導光板
８、５０８  シリコンゴム（付勢部材）
１１  表示部
３１、１３１、２３１、４３１  スペーサ部
４１、２４１  ＬＥＤ基板（光源基板）
４２  ＬＥＤ（光源）
７１、１７１  光入射面
１００、２００  ＴＶ（表示装置）
１００ａ、２００ａ  ＴＶ本体（表示装置本体）
２３１ａ  凸部（第２位置決め部）
２４１ａ  凹部（第１位置決め部）
３０３  第２ヒートシンク
３１２  ネジ孔（第２位置決め部）
３１３、４３１ａ、１３１３  ＬＥＤ配置用孔部（光源配置用孔部）
４１１  配線パターン
４１２  ネジ孔（第１位置決め部）
４１４  実装面
【図１】
2014153438.tif 000003
【図２】
2014153438.tif 000004
【図３】
2014153438.tif 000005
【図４】
2014153438.tif 000006
【図５】
2014153438.tif 000007
【図６】
2014153438.tif 000008
【図７】
2014153438.tif 000009
【図８】
2014153438.tif 000010
【図９】
2014153438.tif 000011
【図１０】
2014153438.tif 000012